(57)【要約】      （修正有）【課題】大形広幅の長尺テープドラムからテープを引き出して、輪切り状の軽量テープに巻き替えるために使用する粘着テープ巻き取り機を提供する。【解決手段】合成樹脂シート製膨出容器の容器本体と蓋体との接合縁部に横向きＵ字形に貼着して封緘する粘着テープの巻き取り機であって、基台１における天板１Ａの一端１ａ側に配置されたドラム装着体２と、他端１ｂ側近くに配置されたテープ巻き取り用の巻き取り芯筒装着体３と、該装着体３の近くに配置されたテープ案内ローラ４と、ドラム装着体２と巻き取り芯筒装着体３との間に配置された、長尺テープドラムから引き出された粘着テープをテープ案内ローラ４に向けてテープ姿勢を矯正するテープ姿勢矯正用棒状体５と、巻き取り芯筒装着体３を回転する電源モータＭとを備える構成とする。【選択図】図１
0003170058.tif 000002
【実用新案登録請求の範囲】
【請求項１】
合成樹脂シート製膨出容器の容器本体と蓋体との接合縁部に横向きＵ字形に貼着して封緘する粘着テープの巻き取り機であって、
基台(1)における天板(1A)の一端(1a)側に配置された、大形広幅の長尺テープドラムを回転自在に装着する大径広幅のドラム装着体(2)と、
他端(1b)側近くに配置された、略テープ幅と同幅に形成されたテープ巻き取り用の巻き取り芯筒装着体(3)と、
該巻き取り芯筒装着体(3)の近くに配置された、前記長尺テープドラムから引き出された粘着テープを巻き取り芯筒に向けて案内するテープ案内ローラ(4)と、
前記ドラム装着体(2)と巻き取り芯筒装着体(3)との間に配置された、長尺テープドラムから引き出された粘着テープを前記テープ案内ローラ(4)に向けてテープ姿勢を矯正するテープ姿勢矯正用棒状体(5)と、
前記巻き取り芯筒装着体(3)を回転する電源モータ(M)と
を備えた粘着テープ巻き取り機。
【請求項２】
テープ案内ローラ(4)が、第１ローラ(4a)、第２ローラ(4b)、第３ローラ(4c)の３体によって構成されている請求項１に記載の粘着テープ巻き取り機。
【考案の詳細な説明】
【技術分野】
【０００１】
本考案は、主として合成樹脂シートを膨出成形した樹脂パックを封緘するために使用する合成樹脂製の粘着テープの巻き取り機に関するものである。
【背景技術】
【０００２】
従来から、この種の樹脂パック封緘用の粘着テープ、より詳しくは片面に粘着剤を塗布した粘着テープは既に公知である。また、この粘着テープを使用して合成樹脂シート製の膨出容器における容器本体と蓋体との接合縁部を横向きＵ字形に挟み込んで貼着し封緘する使用態様も広く知られている。（特許文献１，２参照）
【先行技術文献】
【特許文献】
【０００３】
【特許文献１】特許第２９９５４６７号公報
【特許文献２】特許第２８６３９０３号公報
【考案の概要】
【考案が解決しようとする課題】
【０００４】
従来のこの種樹脂パック封緘用の粘着テープにあっては、工場設置型の大形の自動包装機に装着して使用するのに適したように、頻繁に起きるテープ交換の手間と機械停止のロスを軽減する必要性から、例えば３，０００ｍなり、５，０００ｍなり、またはそれ以上の１０，０００ｍなりという極めて長尺のテープを、広幅筒状の巻き取りリールに対してリールの幅方向に一端縁から他端縁に向かって適宜傾斜させながら多重に巻き取らせて、単一のドラム状に巻き取った大形広幅の長尺テープドラムを使用する必要性があった。（特許文献１参照）
【０００５】
それ故、現状では、この種の樹脂パック封緘手段としては、前記工場設置型の大形の自動包装機を使用した大量包装手段しか存在せず、また、それで充分であった。しかしながら、本出願人は、このような工場設置型の大形の自動包装機では、少量パックの封緘手段としては使用することができないため、少量パックの封緘手段としては、輪ゴムの掛け回しまたはステープラー止めが行われている。
【０００６】
しかしながら、ステープラー止めの場合には、何カ所か複数箇所の止め付けが必要であり、開封時に小片の金属針が食品に混入することがないよう慎重を期す必要があり、輪ゴムの掛け回しの場合には、容器の長手方向の両端が開放し易く、密閉包装が困難で、例えば粒状や小形商品の包装には適しないという課題がある。
【０００７】
そこで、本出願人は、これらの課題に着目し、前記粘着テープを使用したパックシール手段が備えているシールが容易で、開封も容易であるという利点を生かしながら、量販店や商店等の小テーブル上に載置して簡易に使用できる小形のパックシール機の開発に成功し、更に進んで、持ち歩き自由な超軽量化した手持ち式のパックシール機の開発にも成功した。
【０００８】
しかるに、このようなテーブル載置型の小形パックシール機や、殊に、持ち歩き自由な超軽量化した手持ち式パックシール機に装着して使用することができる小形軽量なシールテープが存在しないという現実に直面した。
【０００９】
そこで、本考案は、このようなテーブル載置型の小形パックシール機や、持ち歩き自由な超軽量化した手持ち式パックシール機に装着して使用することが可能な小形軽量化した輪切り状テープを、前記広幅筒状に巻き取られた長尺テープを利用して、略テープ幅に形成した小リールに巻き替えることを着想し、そのために開発した前記大形広幅の長尺テープドラムからテープを引き出して輪切り状の軽量テープに巻き替えるために使用する粘着テープ巻き取り機をここに提案するものである。
【課題を解決するための手段】
【００１０】
該目的を達成するために講じた本考案にいう前記請求項１に記載の粘着テープ巻き取り機の構成は、合成樹脂シート製膨出容器の容器本体と蓋体との接合縁部に横向きＵ字形に貼着して封緘する粘着テープの巻き取り機であって、基台１における天板１Ａの一端１ａ側に配置された、大形広幅の長尺テープドラムを回転自在に装着する大径広幅のドラム装着体２と、他端１ｂ側近くに配置された、略テープ幅と同幅に形成されたテープ巻き取り用の巻き取り芯筒装着体３と、該巻き取り芯筒装着体３の近くに配置された、前記長尺テープドラムから引き出された粘着テープを巻き取り芯筒に向けて案内するテープ案内ローラ４と、前記ドラム装着体２と巻き取り芯筒装着体３との間に配置された、前記長尺テープドラムから引き出された粘着テープを前記テープ案内ローラ４に向けてテープ姿勢を矯正するテープ姿勢矯正用棒状体５と、前記巻き取り芯筒装着体３を回転する電源モータＭとを備えている構成としたものである。
【００１１】
また、該請求項１に従属する前記請求項２に記載の構成は、テープ案内ローラ４が、第１ローラ４ａ、第２ローラ４ｂ、第３ローラ４ｃの３体によって構成されていることを要件としたものである。
【考案の効果】
【００１２】
本考案にいう粘着テープ巻き取り機は、大形広幅の長尺テープドラムに巻かれたテープを引き出して略テープ幅と同幅に形成した輪切り状の芯筒に巻き替えるためのものであるから、装置全体を小形で安価に形成できるという顕著な効果を有するものである。
【図面の簡単な説明】
【００１３】
【図１】本考案の実施例を示す正面側から見た全体斜視図。
【図２】図１の使用状態を示す全体斜視図。
【考案を実施するための形態】
【００１４】
本考案にいうところの合成樹脂シート製の膨出容器は、一般に使用されている鶏卵包装用容器、天ぷら等の惣菜包装用容器、和菓子・洋菓子等の菓子類や、プチトマトや果実類魚介類等その他の生もの包装用容器として使用されている容器を対象として、容器の接合縁に貼着して封緘することができる容器であればよい。したがって、容器の素材、ひいては容器形成用の樹脂シートの素材については特段限定するものではない。
【実施例】
【００１５】
以下別紙添付の図面に基づいて実施例を説明する。本考案にいう粘着テープの巻き取り機は、例えばポリエチレン−テレフタレート（ＰＥＴ）樹脂に代表される合成樹脂シートを周知の膨出成形手段によって膨出成形した、容器本体と蓋体とを折り畳みヒンジ部に沿って蓋体をヒンジ部から折り曲げて容器本体上に覆わせて、両体の遊端側の接合縁部を上下から挟み込ませて横向きＵ字形に貼着して封緘するためのテープであって、通常テープ幅１２ｍｍ，１４ｍｍ，１５ｍｍのものが使用されている。
【００１６】
図１，２に示した機械は、この粘着テープを、図２の右側に示したように、例えば３，０００ｍなり、５，０００ｍなり、１０，０００ｍなりという極めて長尺のテープを、広幅筒状の巻き取り芯リール１３に対して、リール１３の幅方向に一端縁から他端縁に向かって適宜傾斜させながら多重に巻き取らせて単一のドラム状に巻き取り形成した大形広幅の長尺テープドラム１２を使用し、これを小形軽量化した輪切り状テープ１４に巻き替えるための機械である。
【００１７】
換言すると、本考案にいう機械は、図２の右側に示した大形広幅の長尺テープドラム１２に巻かれた粘着テープ１１を、例えば、前記の持ち歩き自由な超軽量化した手持ち式パックシール機に装着して使用できるようにするため、図１の天板１Ａ上に示したように、テープ幅と略同幅に形成した輪切り状芯筒１５に巻き替えて、小形軽量化した輪切り状テープ１４を形成するための機械である。
【００１８】
而して、図１において全体形状を示した本考案にいう機械は、左右方向に８０〜１００ｃｍに形成した横長基台１の一端１ａ側に、前記大形広幅の長尺テープドラム１２を回転自在に装着する大径広幅のドラム装着体２を遊転自在に配置してあり、その右外側には、該ドラム装着体２に装着した長尺テープドラム１２のテープ引き出し慣性力による過回転防止用の帯状ブレーキ４Ａを吊り下げ配置してある。他端１ｂ側近くには、略テープ幅と同幅に形成したテープ巻き取り用の輪切り状芯筒１５を装着するための巻き取り芯筒装着体３を配置してある。該巻き取り芯筒装着体３は、基台１の奥側にテープの奥側縁を案内するやや大径の円盤体３１と、その手前側に前記テープ巻き取り用の輪切り状芯筒１５を装着する巻き取り芯筒３２と、その前面側に前記円盤体３１よりも小径としたテープの前面側押さえ用の円盤体３３とからなり、該実施例に示した円盤体３３は蝶ネジによって着脱自在としてある。
【００１９】
該巻き取り芯筒装着体３の左側（他端１ｂ側）には、前記長尺テープドラム１２から引き出された粘着テープ１１を前記巻き取り芯筒３２に向けて案内するテープ案内ローラ４を形成してある。該実施例に示したテープ案内ローラ４は、第１ローラ４ａ、第２ローラ４ｂ、第３ローラ４ｃの３体によって構成してあり、正面視において略三角点上に配置してある。
【００２０】
また、前記一端１ａ側のドラム装着体２と前記巻き取り芯筒装着体３との略中間位置には、図２のように、前記長尺テープドラム１２から引き出された粘着テープ１１を、前記テープ案内ローラ４側に向けてテープ姿勢を矯正するテープ姿勢矯正用の縦長の棒状体５を配置形成してある。この縦長棒状体５は、テープの摩擦抵抗を軽減するために回転自在に形成してある。また、前記長尺テープドラム１２のどの位置からテープが引き出された場合にも、略均等に対応できるように上下方向に長い棒状体としてある。
【００２１】
更に、前記テープ案内ローラ４の取付け枠体の背面側には、前記巻き取り芯筒装着体３を回転駆動するための電源モータＭが回転軸を前面側に向けて装着され、前記巻き取り芯筒装着体３と縦長棒状体５との背面側に偏した位置で、両体３，５の中間位置には、電源モータＭのコントロールボックス６を配置形成してある。
【００２２】
以上に本考案の代表的と思われる実施例について説明したが、本考案にいう粘着テープ巻き取り機は、この実施例のもののみに限定されるものではなく、例えば、本考案の構成要件を充足し、目的を達成し、効果を有する範囲内において適宜に改変して実施することができるものである。
【符号の説明】
【００２３】
１  基台
１Ａ  基台の天板
１ａ  基台の一端
１ｂ  基台の他端
２  ドラム装着体
３  巻き取り芯筒装着体
４  テープ案内ローラ
４ａ  第１ローラ
４ｂ  第２ローラ
４ｃ  第３ローラ
５  テープ姿勢矯正用棒状体
Ｍ  電源モータ
【図１】
0003170058.tif 000003
【図２】
0003170058.tif 000004